(57)【要約】【課題】本発明には、ステント運搬システムが提供される。【解決手段】外部スリーブアセンブリ、内部スリーブアセンブリ及びスナップリングを備え、外部スリーブアセンブリは外部スリーブ本体と外部スリーブ本体の前端に接続される外部スリーブ先端とを含み、外部スリーブ先端の外径が後から前に向かって段差状に減少し、内部スリーブアセンブリは、外部スリーブ本体に嵌着されるプッシュチューブと、プッシュチューブの前端に接続されるステント配置管と、ステント配置管の前端に設置される内部スリーブ先端とを含み、プッシュチューブの外径がステント配置管の外径よりも大きい。本発明は、ステントを迅速且つ容易にステント収容管からステント配置管に移転でき、配置されると直ちに使用することが可能であり、非常に便利になり、また、プッシュチューブと外部スリーブ本体との隙間を小さくし、プッシュチューブの推進力を大きくし、高い実用的価値がある。【選択図】図１
2021515605.tif 000002
【特許請求の範囲】
【請求項１】
ステント運搬システムであって、
外部スリーブ本体と、前記外部スリーブ本体の後端に固定される外部スリーブハンドルと、前記外部スリーブ本体の前端に接続される外部スリーブ先端とを含む外部スリーブアセンブリであって、前記外部スリーブハンドル内に前記外部スリーブ本体の内径と等しい軸方向の貫通孔が設けられ、前記外部スリーブ先端の外径が後から前に向かって段差状に減少している外部スリーブアセンブリと、
前記外部スリーブ本体に嵌着されるプッシュチューブと、前記プッシュチューブの後端に固定される内部スリーブハンドルと、前記プッシュチューブの前端に接続されるステント配置管と、前記ステント配置管の前端に設置される内部スリーブ先端とを含む内部スリーブアセンブリであって、前記プッシュチューブはその外径が前記外部スリーブ本体の内径に適応して軸方向の推進力を提供し、前記プッシュチューブの外径がステント配置管の外径よりも大きく、前記内部スリーブ先端内に前記ステント配置管の内径と等しい軸方向の貫通孔が設けられ、前記内部スリーブ先端の後端の外径が前記外部スリーブ先端の前端の外径に合わせ、且つ前記内部スリーブ先端の外径が後端から前端へ次第に小さくなる内部スリーブアセンブリと、
前記外部スリーブハンドルと内部スリーブハンドルの間の前記プッシュチューブの外壁に固定されているスナップリングとを備えることを特徴とするステント運搬システム。
【請求項２】
前記外部スリーブ本体は前部のステント被覆管と後部の外部スリーブ被覆管とを含み、前記ステント被覆管は、その長さが前記内部スリーブアセンブリにおけるステント配置管の長さの以上であり、前記ステント配置管の外側に套設されて内蔵ステントを被覆することに用いられることを特徴とする請求項１に記載のステント運搬システム。
【請求項３】
前記ステント被覆管の内径が前記外部スリーブ被覆管の内径よりも大きいことを特徴とする請求項２に記載のステント運搬システム。
【請求項４】
前記外部スリーブハンドルは把持部及び滑り止め部を含み、前記把持部及び前記滑り止め部は一体に取り外し可能に接続され、それらの接続方法として、螺着、又は係着、又は、前記把持部及び前記滑り止め部は一体に成形されることを特徴とする請求項１に記載のステント運搬システム。
【請求項５】
前記滑り止め部には、複数本の凸起が前記滑り止め部の外周に沿って設けられ、前記凸起は直線型又は曲線型であり、又は、前記滑り止め部の外周面に複数の凸点が設けられていることを特徴とする請求項４に記載のステント運搬システム。
【請求項６】
前記外部スリーブハンドルの前端及び後端は半球状を呈していることを特徴とする請求項１に記載のステント運搬システム。
【請求項７】
前記内部スリーブアセンブリのステント配置管と前記プッシュチューブが接続部材により接続されており、前記接続部材は、前記ステント配置管を挿接するための細径部と、前記プッシュチューブを挿接するための太径部と、この両者の間に位置するプッシュテーブルとを含み、前記プッシュテーブル内に貫通孔が設けられ、前記貫通孔の内径が前記細径部と前記太径部の内径よりも小さいことを特徴とする請求項１に記載のステント運搬システム。
【請求項８】
前記内部スリーブハンドルは球体部とハンドル部とを含み、前記球体部の後端が半球状を呈し、前記ハンドル部の外径が後から前へ次第に小さくなることを特徴とする請求項１に記載のステント運搬システム。
【請求項９】
前記プッシュチューブと前記ステント配置管は器具チャンネルと給水チャンネルを有し、前記外部スリーブハンドルと前記内部スリーブハンドルの前記プッシュチューブ部分に給水ニップルが設けられていることを特徴とする請求項１ないし８のいずれか一項に記載のステント運搬システム。
【請求項１０】
前記プッシュチューブの前端外周に現像リングが設けられていることを特徴とする請求項１ないし８のいずれか一項に記載のステント運搬システム。
【発明の詳細な説明】
【技術分野】
【０００１】
本発明は、医療器具の分野に関し、特にステント運搬システムに関する。
【背景技術】
【０００２】
現在、商売用又は汎用の食道ステント解放プッシャーは、一般的に調整ハンドル、固定ハンドル、ハンドル、外管、内管、細管、ステントキャビティ、圧縮ステント及びガイドヘッド等の部品で構成されている。プッシャーの外管と内管との間に一定の隙間を有することで、両者は相対的にスライドすることが可能である。ステントが外管と細管によって形成されたキャビティ（ステントキャビティという）内に配置され、内管と細管との相対的な移動により、異なる長さのステントの需要を満たすようにステントキャビティの長さを調整することができる。外管を引き抜くと、細管と外管の間の圧縮ステントは徐々に解放されて拡張される。
【０００３】
例えば、出願番号がＣＮ２００５２００７０６３０．２である中国特許文献には、被覆膜ステントコンベヤが開示されており、当該コンベヤは主に外部スリーブと内部コアで構成されており、外部スリーブが内部コアに被覆され、内部コアはガイドヘッド、軸芯管、輸送ロッドで接続されてなり、軸芯管の前端にガイドヘッドが接続され、軸芯管の後端に輸送ロッドが接続され、軸芯管のガイドヘッドの後部にステント配置部が設けられ、ステント配置部の長さが食道ステントの直径よりも大きく且つ軸芯管よりも僅かに小さく、軸芯管にステントが配置され、外部スリーブはステントを軸芯管に押し付ける。コンベヤが管腔の狭い部分に入って位置決めされた後、外部スリーブを緩やかに引き出し、ステントは展開されて軸芯管から離脱し、ガイドヘッドは外部スリーブまで後退してそれと共に管腔から引き出される。本実用新案は、ステントを容易に管腔に入らせ、ステントの解放の難度を低下させ、ステントの運搬の精度を向上させ、患者の命を延ばし、生活の品質を向上させることができる。
【０００４】
また、例えば、出願番号がＣＮ２０１３１００１０３６２．４である中国特許文献には、外部サヤ管、コアチューブ、プッシュチューブ、ガイドヘッド、現像標識リング、不透過性標記リング、フロントハンドル、リアハンドル及びセキュリティロックスリーブを備える食道ステントコンベヤであって、圧着スリーブ及び引張スリーブが設けられ、フロントハンドルの中心の外部サヤ管の貫通孔と止めネジ穴との間に位置決め穴とリカバリ穴が順次に設けられ、位置決め穴の内壁の後端部に締め付け溝が軸方向の円周配列に沿って設けられ、圧着スリーブはリング状の天台、引張用の大きな円柱形のスリーブ本体及び位置決め用の小さな円柱形のスリーブ本体が同一の軸線に沿って固接されてなり、リング状の天台の内穴の外端にテーパ状の位置決め穴が設けられ、前記引張スリーブは円柱形の固定スリーブ本体及び円柱形の固定スリーブ本体の前端にあるテーパ状の台本体から構成され、引張スリーブはテーパ状の台本体の一端から軸方向の円周配列に沿って引張貫通溝が設けられ、圧着スリーブ及び引張スリーブはそれぞれプッシュチューブに套設され、引張スリーブは、一端が固定スリーブ本体を介してセキュリティロックスリーブに接続され、他端が圧着スリーブに対応し、圧着スリーブは外部サヤ管の後端に套設されてそれをフロントハンドルに固定し、構造が斬新であり、素早く操作し、精確に判断し、引き出される抵抗が低く、手術時間が短く、患者の苦痛が少い等の利点がある食道ステントコンベヤが開示されている。
【０００５】
また、例えば、出願番号がＣＮ２０１５３９７５１．２である中国特許文献には、制御可能な食道ステント解放プッシャーが開示されており、前記食道ステント解放プッシャーは調整ハンドル、固定ハンドル、ハンドル、外管、内管、細管、ガイドヘッド、ステントキャビティ及びステントを備え、外管に目盛線が設けられ、ステントキャビティは内管遠位端、ガイドヘッド近位端及び外管により構成され、ステントキャビティ内にステントが設けられ、ステントキャビティの近位端に細管が設けられ、細管がガイドヘッドと連通し、細管に孔が設けられ、ステントにコイルが設けられ、調整ハンドルに絹糸が固接され、絹糸が孔を通してコイルに接続されている。本実用新案は、食道ステントを食道の狭窄箇所まで制御可能且つ正確に解放でき、ステントが自在に解放・回収され、食道ステントの解放成功率、精確性を大いに向上させ、合併症の発生を低減させる。
【０００６】
しかしながら、以上のステントコンベヤはいずれもステントを予めステントキャビティに配置する必要があり、一度配置されると簡単に取り出すことができず、配置されると直ちに使用することができない。このようにして、長距離輸送又は長時間待機が必要である場合、ステントは常にステントコンベヤに留置されており、長時間にわたって留置すると、ステントの膨張拡張力に影響を与え、自然な張力を迅速に回復し難くなり、手術の効果に影響を与えてしまう。
【発明の概要】
【０００７】
本発明には、ステント運搬システムが開示されており、
外部スリーブ本体と、外部スリーブ本体の後端に固定される外部スリーブハンドルと、外部スリーブ本体の前端に接続される外部スリーブ先端とを含む外部スリーブアセンブリであって、外部スリーブハンドル内に外部スリーブ本体の内径と等しい軸方向の貫通孔が設けられ、外部スリーブ先端の外径が後から前に向かって段差状に減少している外部スリーブアセンブリと、
外部スリーブ本体に嵌着されるプッシュチューブと、プッシュチューブの後端に固定される内部スリーブハンドルと、プッシュチューブの前端に接続されるステント配置管と、ステント配置管の前端に設置される内部スリーブ先端とを含む内部スリーブアセンブリであって、プッシュチューブはその外径が外部スリーブ本体の内径に適応して軸方向の推進力を提供し、プッシュチューブの外径がステント配置管の外径よりも大きく、内部スリーブ先端内にステント配置管の内径と等しい軸方向の貫通孔が設けられ、内部スリーブ先端の後端の外径が外部スリーブ先端の前端の外径に合わせ、且つ内部スリーブ先端の外径が後端から前端へ次第に小さくなる内部スリーブアセンブリと、
外部スリーブハンドルと内部スリーブハンドルの間のプッシュチューブの外壁に固定されているスナップリングとを備える。
【０００８】
好ましくは、外部スリーブ本体は前部のステント被覆管と後部の外部スリーブ被覆管とを含み、ステント被覆管は、その長さが内部スリーブアセンブリにおけるステント配置管の長さの以上であり、ステント配置管の外側に套設されて内蔵ステントを被覆することに用いられる。
【０００９】
さらに、ステント被覆管の内径が外部スリーブ被覆管の内径よりも大きい。
【００１０】
好ましくは、外部スリーブハンドルは把持部及び滑り止め部を含み、把持部及び滑り止め部は一体に取り外し可能に接続され、それらの接続方法として、螺着や係着が挙げられ、又は、把持部及び滑り止め部は一体に成形される。
【００１１】
さらに、滑り止め部には、複数本の凸起が滑り止め部の外周に沿って設けられ、凸起は直線型又は曲線型であり、又は、滑り止め部の外周面に複数の凸点が設けられている。
【００１２】
好ましくは、外部スリーブハンドルの前端及び後端は半球状を呈している。
【００１３】
さらに、内部スリーブアセンブリのステント配置管とプッシュチューブが接続部材により接続されており、接続部材は、ステント配置管を挿接するための細径部と、プッシュチューブを挿接するための太径部と、この両者の間に位置するプッシュテーブルとを含み、プッシュテーブル内に貫通孔が設けられ、貫通孔の内径が細径部と太径部の内径よりも小さい。
【００１４】
好ましくは、内部スリーブハンドルは球体部とハンドル部とを含み、球体部の後端が半球状を呈し、ハンドル部の外径が後から前へ次第に小さくなる。
【００１５】
さらに、プッシュチューブとステント配置管は器具チャンネルと給水チャンネルを有し、外部スリーブハンドルと内部スリーブハンドルのプッシュチューブ部分に給水ニップルが設けられている。
【００１６】
好ましくは、プッシュチューブの前端外周に現像リングが設けられている。
【００１７】
以上により、本発明に係るステント運搬システムは、外部スリーブ本体の前端に外部スリーブ先端が設けられ、外部スリーブ先端の外径が後から前に向かって段差状に減少しているため、ステント補助導入装置のステント収容管に容易に合わせる。使用する際にステント収容管のヘッド端部分を外部スリーブ先端の外径が小さい前端に套設し、ステント収容管のヘッド端の前面が外部スリーブ先端の段差面に当接し、外部スリーブ先端の外径が太い管体部に推力を提供することにより、外部スリーブは軸方向に沿って後退し、これに伴って、露出したステント配置管がステント収容管に入り、ステントをステント収容管からステント配置管に移転でき、それによって、ステントを予め長時間でステントコンベヤに配置しておく必要がなく、配置されると直ちに使用することが可能であり、非常に便利になる。また、本発明のプッシュチューブの外径をステント配置管の外径よりも大きくすることで、プッシュチューブと外部スリーブ本体との隙間を小さくし、プッシュチューブの推進力を大きくすることができ、以上により、本発明は非常に高い実用的価値がある。
【００１８】
本発明の上記内容をより明確にするために、以下、特に好適な実施例を挙げながら、図面を参照して詳細に説明する。
【図面の簡単な説明】
【００１９】
以下、図面を組み合わせて本発明を説明する。
【図１】図１は、本発明の各実施例に開示されたステント運搬システムの全体構成図である。
【図２】図２は、本発明の各実施例に開示された外部スリーブ先端の断面図である。
【図３】図３は、本発明の第２実施例に開示された外部スリーブ本体の全体構成図である。
【図４】図４は、本発明の各実施例に開示された別のステント運搬システムの全体構成図である。
【図５−１】図５−１は、本発明の第３実施例に開示された接続部材の全体構成図である。
【図５−２】図５−２は、本発明の第３実施形態に開示された接続部材の断面図である。
【発明を実施するための形態】
【００２０】
以下、特定の具体的な実施例により本発明の実施形態を説明する。当業者は、本明細書に開示された内容から本発明の他の利点及び効果を容易に理解することができる。
【００２１】
以下、本発明の例示的な実施形態について図面を参照しながら説明するが、本発明は、本明細書に記載された実施例に限定されることなく、様々な形態で実施されることができる。これらの実施例を提供するのは、本発明を詳細且つ完全に開示し、且つ当業者に対して本発明の範囲を十分に伝えるためのものである。図面に示されている例示的な実施形態における用語は、本発明を限定するものではない。図面において、同一のユニット/素子に同一の符号が付されている。
【００２２】
特に説明しない限り、ここで使用される用語（科学技術用語を含む）は、当業者にとって理解できる通常の意味を有する。また、理解できるように、一般的に使用される辞書で限定された用語は、関連分野における文脈と一致する意味を有すると理解すべきであり、理想化された意味又は正式化されすぎた意味として理解すべきではない。
【００２３】
（第１実施例）
図１に示されるように、本発明の第１実施例には、外部スリーブアセンブリ１、内部スリーブアセンブリ２及びスナップリング３を備えるステント運搬システム１００が開示されており、外部スリーブアセンブリ１は、外部スリーブ本体１１と、外部スリーブ本体の後端に固定される外部スリーブハンドル１２と、外部スリーブ本体の前端に接続される外部スリーブ先端１３とを含み、外部スリーブハンドル１２内に外部スリーブ本体の内径と等しい軸方向の貫通孔が設けられ、外部スリーブ先端１３の外径が後から前に向かって段差状に減少している。内部スリーブアセンブリ２は、外部スリーブ本体１１に嵌着されるプッシュチューブ２１と、プッシュチューブ２１の後端に固定される内部スリーブハンドル２２と、プッシュチューブ２１の前端に接続されるステント配置管２３と、ステント配置管２３の前端に設置される内部スリーブ先端２４（図１に示されていない）とを含み、プッシュチューブ２１はその外径が外部スリーブ本体１１の内径に適応して軸方向の推進力を提供し、プッシュチューブ２１の外径がステント配置管２３の外径よりも大きく、内部スリーブ先端２４内にステント配置管２３の内径と等しい軸方向の貫通孔が設けられ、内部スリーブ先端２４の後端の外径が外部スリーブ先端１３の前端の外径に合わせ、且つ内部スリーブ先端２４の外径が後端から前端へ次第に小さくなる。スナップリング３は、外部スリーブハンドル１２と内部スリーブハンドル２２の間のプッシュチューブの外壁に固定されている。
【００２４】
本発明の第１実施例では、外部スリーブ先端１３の外径が後から前に向かって段差状に減少しているため、ステント補助導入装置のステント収容管に容易に合わせる。図２に示されるように、使用する際にステント収容管のヘッド端部分を外部スリーブ先端の外径が小さい前端１３１に套設し、ステント収容管のヘッド端の前面が外部スリーブ先端の段差面１３０に当接し、外部スリーブ先端の外径が太い管体部１３２に推力を提供することにより、外部スリーブ本体１１は軸方向に沿って後退し、これに伴って、露出したステント配置管２３はステント収容管に入り、ステント収容管に配置されたステントはステント収容管からステント配置管２３に移転されることができ、それによって、ステントを予め長時間でステントコンベヤに留置しておく必要がなく、配置されると直ちに使用することが可能であり、非常に便利になる。
【００２５】
具体的に、外部スリーブ先端１３と外部スリーブ本体１１の接続方法としては、接着又は螺着、若しくは締まりばめ等の方法により係合・接続されており、本実施例に挙げられた方法に限らない。
【００２６】
この好ましい実施例では、図１に示されるように、外部スリーブハンドル１２は把持部及び滑り止め部を含むことができ、把持部は中部が僅かに凹んだ弧状の円柱体として設計されることができ、人の手の把持曲線に適合し、操作者はハンドルを容易に把持して操作する。滑り止め部は外部スリーブハンドル１２の外周に沿って設けられた滑り止め構造であってもよく、当該滑り止め構造は複数本の直線型の凸起であってもよいし、摩擦係数を高めることができる様々な設計、例えば複数本の曲線型の凸起、複数の凸点等であってもよい。さらに、本実施例の外部スリーブハンドル１２の把持部及び滑り止め部は、一体に取り外し可能に接続され、例えば、螺着、係着等の方法で一体に接続されてもよいし、全体として一体に成形されたハンドルであってもよく、実際の必要及び加工のコスト等に応じて設計されるものである。
【００２７】
さらに、外部スリーブハンドル１２の前端及び後端は半球状を呈し、この設計により外部スリーブハンドル１２の各部分の間の移行曲線が滑らかでスムーズになり、把持を容易にすると共に人の手を傷つけず、人の手に対する損傷を回避でき、実用的価値が非常に高い。
【００２８】
この好ましい実施例では、内部スリーブハンドル２２は、後端の球体部と球体部の前方に接続されるハンドル部とを含みことができ、球体部の後端が半球状を呈し、上記の外部スリーブハンドルと似ているように、この半球状の設計により内部スリーブハンドル２２の各部分の間の移行曲線が滑らかでスムーズになり、把持を容易にすると共に人の手を傷つけず、人の手に対する損傷を回避でき、実用的価値が非常に高い。また、ハンドル部の外径が後から前へ次第に小さくなることによって、内部スリーブハンドルとプッシュチューブの間の応力強度を高めることができ、見た目も美しくなる。
【００２９】
好ましくは、プッシュチューブ２１とそれに連通するステント配置管２３の内部に軸方向の器具チャンネルと給水チャンネルが設けられ、相応的に、図４に示されるように、外部スリーブハンドル１２と内部スリーブハンドル２２との間のプッシュチューブ２１の外壁に給水チャンネルと連通する給水ニップル２０が設けられ、器具チャネルはガイドワイヤー等が患者の疾患部位まで挿入されることに用いられ、給水ニップルは外部の水ポンプに接続されて給水チャンネルを介して注水と揚水を行うことができる。本実施例の内部スリーブアセンブリ２には、２つの器具を同時に挿入して手術を行うようにより多くの軸方向のチャンネルが設けられてもよいし、それぞれ注水及び揚水を行うように離間した独立の給水チャンネルと排水チャンネルが設けられてもよい。
【００３０】
さらに好ましくは、本実施例のプッシュチューブ２１の前端外周に現像リング２５が設けられてもよく、現像リング２５はプッシュチューブ２１の押し引きに従って変位し、Ｘ線と合わせて現像、位置決めを行うことができ、医療従事者が人体のルーメンにおけるステントの移動位置をリアルタイムで判断することに役立つ。
【００３１】
本実施例に開示されたステント運搬システムは、外部スリーブ先端１３の設計によりステント補助導入装置のステント収容管に合わせることに有利であり、テントを予め長時間でステントコンベヤに配置しておく必要がなく、配置されると直ちに使用することが可能であり、非常に便利になる。
【００３２】
（第２実施例）
図１に示されるように、本発明の第２実施例には、外部スリーブアセンブリ１、内部スリーブアセンブリ２及びスナップリング３を備えるステント運搬システム１００が開示されており、外部スリーブアセンブリ１は、外部スリーブ本体１１と、外部スリーブ本体の後端に固定される外部スリーブハンドル１２と、外部スリーブ本体の前端に接続される外部スリーブ先端１３とを含み、外部スリーブハンドル１２内に外部スリーブ本体の内径と等しい軸方向の貫通孔が設けられ、外部スリーブ先端１３の外径が後から前に向かって段差状に減少している。内部スリーブアセンブリ２は、外部スリーブ本体１１に嵌着されるプッシュチューブ２１と、プッシュチューブ２１の後端に固定される内部スリーブハンドル２２と、プッシュチューブ２１の前端に接続されるステント配置管２３と、ステント配置管２３の前端に設置される内部スリーブ先端２４とを含み、プッシュチューブ２１はその外径が外部スリーブ本体１１の内径に適応して軸方向の推進力を提供し、プッシュチューブ２１の外径がステント配置管２３の外径よりも大きく、内部スリーブ先端２４内にステント配置管２３の内径と等しい軸方向の貫通孔が設けられ、内部スリーブ先端２４の後端の外径が外部スリーブ先端１３の前端の外径に合わせ、且つ内部スリーブ先端２４の外径が後端から前端へ次第に小さくなる。スナップリング３は、外部スリーブハンドル１２と内部スリーブハンドル２２の間のプッシュチューブの外壁に固定されている。
【００３３】
本実施例は第１実施例の変形例であり、この好ましい実施例と第１実施例との相違点は、図３に示されるように、本実施例において、ステント被覆管１１ａの内径が外部スリーブ被覆管１１ｂの内径よりも大きいことにある。この設計の有益な効果として、ステント被覆管１１ａとステント配置管１３との間に形成されるキャビティの空間が十分であり、自己拡張型のステントを収容する場合に過度に圧縮することによりステントの自己拡張力を損傷してしまうことを回避でき、一方、外部スリーブ被覆管１１ｂとプッシュチューブ２１との間の隙間が小さくなり、プッシュチューブ２１の推進力を大きくすることに有利であり、管体の押し引きをより便利且つ省力化にすることができる。
【００３４】
この好ましい実施例では、図１に示されるように、外部スリーブハンドル１２は把持部及び滑り止め部を含むことができ、把持部は中部が僅かに凹んだ弧状の円柱体として設計されることができ、人の手の把持曲線に適合し、操作者はハンドルを容易に把持して操作する。滑り止め部は外部スリーブハンドル１２の外周に沿って設けられた滑り止め構造であってもよく、当該滑り止め構造は複数本の直線型の凸起であってもよいし、摩擦係数を高めることができる様々な設計、例えば複数本の曲線型の凸起、複数の凸点等であってもよい。さらに、本実施例の外部スリーブハンドル１２の把持部及び滑り止め部は、一体に取り外し可能に接続され、例えば、螺着、係着等の方法で一体に接続されてもよいし、全体として一体に成形されたハンドルであってもよく、実際の必要及び加工のコスト等に応じて設計されるものである。
【００３５】
さらに、外部スリーブハンドル１２の前端及び後端は半球状を呈し、この設計により外部スリーブハンドル１２の各部分の間の移行曲線が滑らかでスムーズになり、把持を容易にすると共に人の手を傷つけず、人の手に対する損傷を回避でき、実用的価値が非常に高い。
【００３６】
この好ましい実施例では、内部スリーブハンドル２２は、後端の球体部と球体部の前方に接続されるハンドル部とを含むことができ、球体部の後端が半球状を呈し、上記の外部スリーブハンドルと似ているように、この半球状の設計により内部スリーブハンドル２２の各部分の間の移行曲線が滑らかでスムーズになり、把持を容易にすると共に人の手を傷つけず、人の手に対する損傷を回避でき、実用的価値が非常に高い。また、ハンドル部の外径が後から前へ次第に小さくなることによって、内部スリーブハンドルとプッシュチューブの間の応力強度を高めることができ、見た目も美しくなる。
【００３７】
好ましくは、プッシュチューブ２１とそれに連通するステント配置管２３の内部に軸方向の器具チャンネルと給水チャンネルが設けられ、相応的に、図４に示されるように、外部スリーブハンドル１２と内部スリーブハンドル２２との間のプッシュチューブ２１の外壁に給水チャンネルと連通する給水ニップル２０が設けられ、器具チャネルはガイドワイヤー等が患者の疾患部位まで挿入されることに用いられ、給水ニップルは外部の水ポンプに接続されて給水チャンネルを介して注水と揚水を行うことができる。本実施例の内部スリーブアセンブリ２には、２つの器具を同時に挿入して手術を行うようにより多くの軸方向のチャンネルが設けられてもよいし、それぞれ注水及び揚水を行うように離間した独立の給水チャンネルと排水チャンネルが設けられてもよい。
【００３８】
さらに好ましくは、本実施例のプッシュチューブ２１の前端外周に現像リング２５が設けられてもよく、現像リング２５はプッシュチューブ２１の押し引きに従って変位し、Ｘ線と合わせて現像、位置決めを行うことができ、医療従事者が人体のルーメンにおけるステントの移動位置をリアルタイムで判断することに役立つ。
【００３９】
（第３実施例）
図１に示されるように、本発明の第３実施例には、外部スリーブアセンブリ１、内部スリーブアセンブリ２及びスナップリング３を備えるステント運搬システム１００が開示されており、外部スリーブアセンブリ１は、外部スリーブ本体１１と、外部スリーブ本体の後端に固定される外部スリーブハンドル１２と、外部スリーブ本体の前端に接続される外部スリーブ先端１３とを含み、外部スリーブハンドル１２内に外部スリーブ本体の内径と等しい軸方向の貫通孔が設けられ、外部スリーブ先端１３の外径が後から前に向かって段差状に減少している。内部スリーブアセンブリ２は、外部スリーブ本体１１に嵌着されるプッシュチューブ２１と、プッシュチューブ２１の後端に固定される内部スリーブハンドル２２と、プッシュチューブ２１の前端に接続されるステント配置管２３と、ステント配置管２３の前端に設置される内部スリーブ先端２４とを含み、プッシュチューブ２１はその外径が外部スリーブ本体１１の内径に適応して軸方向の推進力を提供し、プッシュチューブ２１の外径がステント配置管２３の外径よりも大きく、内部スリーブ先端２４内にステント配置管２３の内径と等しい軸方向の貫通孔が設けられ、内部スリーブ先端２４の後端の外径が外部スリーブ先端１３の前端の外径に合わせ、且つ内部スリーブ先端２４の外径が後端から前端へ次第に小さくなる。スナップリング３は、外部スリーブハンドル１２と内部スリーブハンドル２２の間のプッシュチューブの外壁に固定されている。
【００４０】
本実施例と上記の実施例との相違点は、図１、図５−１及び図５−２に示されるように、本実施例において、内部スリーブアセンブリ２のステント配置管２３とプッシュチューブ２１が接続部材２６により接続されており、接続部材２６がステント配置管２３を挿接するための細径部２６ａとプッシュチューブを挿接するための太径部２６ｂとこの両者の間に位置するプッシュテーブル２６ｃとを含み、プッシュテーブル２６ｃ内に貫通孔が設けられ、貫通孔が細径部２６ａと太径部２６ｂを連通し、貫通孔の内径が細径部２６ａと太径部２６ｂの内径よりも小さいことにある。使用する際に、ステント配置管２３が細径部２６ａに嵌め込まれてプッシュテーブル２６ｃの前面に当接し、プッシュチューブ２１が太径部２６ｂに嵌め込まれてプッシュテーブル２６ｃの後面に当接し、プッシュテーブル２６ｃの貫通孔がステント配置管２３とプッシュチューブ２１の管腔を連通し、好ましくは、プッシュチューブ２１、プッシュテーブル２６ｃの貫通孔及びステント配置管２３の内径が等しく、これによって、滑らかに移行したルーメンを形成し、器具チャンネル又は給水チャンネルを構成することができる。
【００４１】
この好ましい実施例では、図１に示されるように、外部スリーブハンドル１２は把持部及び滑り止め部を含むことができ、把持部は中部が僅かに凹んだ弧状の円柱体として設計されることができ、人の手の把持曲線に適合し、操作者はハンドルを容易に把持して操作する。滑り止め部は外部スリーブハンドル１２の外周に沿って設けられた滑り止め構造であってもよく、当該滑り止め構造は複数本の直線型の凸起であってもよいし、摩擦係数を高めることができる様々な設計、例えば複数本の曲線型の凸起、複数の凸点等であってもよい。さらに、本実施例の外部スリーブハンドル１２の把持部及び滑り止め部は、一体に取り外し可能に接続され、例えば、螺着、係着等の方法で一体に接続されてもよいし、全体として一体に成形されたハンドルであってもよく、実際の必要及び加工のコスト等に応じて設計されるものである。
【００４２】
さらに、外部スリーブハンドル１２の前端及び後端は半球状を呈し、この設計により外部スリーブハンドル１２の各部分の間の移行曲線が滑らかでスムーズになり、把持を容易にすると共に人の手を傷つけず、人の手に対する損傷を回避でき、実用的価値が非常に高い。
【００４３】
この好ましい実施例では、内部スリーブハンドル２２は、後端の球体部と球体部の前方に接続されるハンドル部とを含むことができ、球体部の後端が半球状を呈し、上記の外部スリーブハンドルと似ているように、この半球状の設計により内部スリーブハンドル２２の各部分の間の移行曲線が滑らかでスムーズになり、把持を容易にすると共に人の手を傷つけず、人の手に対する損傷を回避でき、実用的価値が非常に高い。また、ハンドル部の外径が後から前へ次第に小さくなることによって、内部スリーブハンドルとプッシュチューブの間の応力強度を高めることができ、見た目も美しくなる。
【００４４】
好ましくは、プッシュチューブ２１とそれに連通するステント配置管２３の内部に軸方向の器具チャンネルと給水チャンネルが設けられ、相応的に、図４に示されるように、外部スリーブハンドル１２と内部スリーブハンドル２２との間のプッシュチューブ２１の外壁に給水チャンネルと連通する給水ニップル２０が設けられ、器具チャネルはガイドワイヤー等が患者の疾患部位まで挿入されることに用いられ、給水ニップルは外部の水ポンプに接続されて給水チャンネルを介して注水と揚水を行うことができる。本実施例の内部スリーブアセンブリ２には、２つの器具を同時に挿入して手術を行うようにより多くの軸方向のチャンネルが設けられてもよいし、それぞれ注水及び揚水を行うように離間した独立の給水チャンネルと排水チャンネルが設けられてもよい。
【００４５】
さらに好ましくは、本実施例のプッシュチューブ２１の前端外周に現像リング２５が設けられてもよく、現像リング２５はプッシュチューブ２１の押し引きに従って変位し、Ｘ線と合わせて現像、位置決めを行うことができ、医療従事者が人体のルーメンにおけるステントの移動位置をリアルタイムで判断することに役立つ。
【００４６】
さらに、接続部材２６の外周壁に凹リング２６ｄが設けられ、現像リング２５は凹リング２６ｄに嵌め込まれることができるため、現像リングの位置を固定でき、外部スリーブ本体と内部スリーブアセンブリのプッシュチューブとの間の繰り返しの押し引き、摩擦により剥脱することはなく、器具破壊のリスクを軽減する。
【００４７】
本実施例の接続部材は外径が太いプッシュチューブと外径が細いステント配置管を接続し、接続の安定性を高めるだけでなく、その内部に形成された内腔の内壁の間も滑らかに移行し、互いに段差や起伏がなく、これによって、ガイドワイヤーは妨げられることなく内腔に沿って順調に推進することができ、屈曲したり変形したりすることはなく、手術操作の利便性を向上させ、器具又は人体に対する損傷を低減させる。
【００４８】
以上により、本発明に係るステント運搬システムは、外部スリーブ本体の前端に外部スリーブ先端が設けられ、外部スリーブ先端の外径が後から前に向かって段差状に減少しているため、ステント補助導入装置のステント収容管に容易に合わせる。使用する際にステント収容管のヘッド端部分を外部スリーブ先端の外径が小さい前端に套設し、ステント収容管のヘッド端の前面が外部スリーブ先端の段差面に当接し、外部スリーブ先端の外径が太い管体部に推力を提供することにより、外部スリーブ本体は軸方向に沿って後退し、これに伴って、露出したステント配置管がステント収容管に入り、ステントをステント収容管からステント配置管に移転でき、それによって、ステントを予め長時間でステントコンベヤに配置しておく必要がなく、配置されると直ちに使用することが可能であり、非常に便利になる。また、本発明のプッシュチューブの外径をステント配置管の外径よりも大きくすることで、プッシュチューブと外部スリーブ本体との隙間を小さくし、プッシュチューブの推進力を大きくすることができ、非常に高い実用的価値がある。
【００４９】
なお、上述した本発明の実施例は、本発明の原理及びその効果に対する例示的な説明に過ぎず、本発明を限定するものではない。当業者は、本発明の精神及び範囲から逸脱しない限り、上記の実施例を修正又は変更することができる。したがって、当業者が本発明によって開示された精神及び技術的思想から逸脱しない範囲で行った全ての修正又は変更は、依然として本発明の特許請求の範囲に含まれるべきである。
【図１】
2021515605.tif 000003
【図２】
2021515605.tif 000004
【図３】
2021515605.tif 000005
【図４】
2021515605.tif 000006
【図５−１】
2021515605.tif 000007
【図５−２】
2021515605.tif 000008
【国際調査報告】
2021515605.tif 000009
2021515605.tif 000010
2021515605.tif 000011
2021515605.tif 000012